(57)【要約】      （修正有）【課題】装着することによって、確実に覚醒作用が得ることが可能なマスクを提供する。【解決手段】口部、及び鼻孔を被覆しうるマスク本体部と、マスク本体部の両端部に配設され、マスク本体部を顔面上に固定しうる一対の耳掛け部と備えるマスクであって、マスク本体部には、薬理効果として覚醒作用を有する液体薬剤が含浸された構成とする。【選択図】図１
0003178071.tif 000002
【実用新案登録請求の範囲】
【請求項１】
口及び鼻孔を被覆しうるマスク本体部と、上記マスク本体部の両端部に配設され、上記マスク本体部を顔面上に固定しうる一対の耳掛け部と備えるマスクであって、
上記マスク本体部には、薬理効果として覚醒作用を有する液体薬剤が含浸若しくは塗布された不織布が配設されていることを特徴とするマスク。
【請求項２】
上記マスク本体部には、上記不織布を着脱自在に収納しうるポケット部が形成されていることを特徴とする請求項１記載のマスク
【請求項３】
上記液体薬剤は、モダフィニル、メチルフェニデート塩酸塩、又はペモリンのうち１以上の成分が含有されていること特徴とする請求項１または請求項２に記載のマスク。
【請求項４】
上記液体薬剤には、経時的に色彩が変化しうる、効果識別剤が含有されていることを特徴とする請求項１から請求項３いずれか１項に記載のマスク。
【請求項５】
上記マスク本体部において、外部から視認できる位置には、経時的に色彩が変化しうる効果識別剤が塗布、若しくは埋設されていることを特徴とする請求項１から請求項３いずれか１項に記載のマスク。
【考案の詳細な説明】
【技術分野】
【０００１】
本考案はマスクであって、特に、装着することにより、眠気を防止する作用を有するマスクに関する。
【背景技術】
【０００２】
自動車の運転時、または受験勉強時等において、眠気を防止する方法として、コーヒー等のカフェインを含む食品、飲料、薬剤を経口摂取する方法、メントール等の清涼感を与える揮発物質を含むガム等の食品を経口摂取する方法、若しくは、メントール等を含有する薬剤を顔面等の皮膚に直接塗布する方法等が行われている。
カフェインは、その薬理的作用として、交感神経を興奮させることによって覚醒効果を備えていることが広く知られているが、コーヒー等からの経口摂取方法の場合、自動車運転中等には、摂取し難く、また作用が発揮されるまでに時間を要するため、実際に眠くなってから摂取しても、効果が間に合わない場合がある。
また、メントール等の揮発性物質は、鎮痛消炎作用の他、皮膚の冷感神経を刺激することによって擬似的な清涼感を与える作用がある。
しかしながら、メントールにおける覚醒作用とは、上記清涼感による外的な刺激によって、眠気を一時的に覚ますものであり、メントール自体には、カフェインのような薬理効果としての覚醒作用があるわけではない。
従って、清涼感によって、一時的に覚醒作用があったとしても、その作用は長時間は持続できず、また、すでに眠気がひどい場合には、十分な効果が得られないという不具合を有していた。
このため、受験勉強や自動車運転等の別途の作業を行っている間であっても、簡単に覚醒作用が得られ、且つその作用が長時間持続できる、眠気防止手段の提供のニーズは大きい。
【０００３】
また、一般的にマスクは、不織布、若しくはガーゼで形成され、口部と鼻孔部を被覆しうるシート状のマスク本体部と、上記マスク本体部の両端に配設され、上記マスク本体部を顔面上に固定しうる、紐状、若しくは帯状の一対の耳掛け部とを備え、顔面上に装着した場合に、咳、くしゃみ等による唾液の飛散防止、及び花粉、細菌、ウイルス等が外部から体内に侵入することを防止する防護用の製品であり、長時間に亘って連続して装着することも多い。
【０００４】
また、近年においては、マスク本体部に、殺菌、消毒剤等を含むフィルターをマスク本体内部に配置する、若しくは抗菌剤でマスク本体部の外側面部をコーティングする等の方法によって、細菌、ウイルス等を殺菌し、人体内への進入を防止しうる製品も流通しているが、上記製品についても、外部からの異物侵入を防止するという、マスクが有する従来の機能から以上のものではなく、鼻詰まり、喉の痛みといった感冒症状を直接的に改善する薬理的な作用は期待できなかった。
【０００５】
薬理作用を備えたマスクとして、マスク本体部に、感冒時の症状を改善しうる薬剤を含有させた薬用パックを不織布を挟んだ形態のマスクが提案されている（特許文献１）。
しかしながら、上記特許文献１に係るマスクは、鼻詰まり等の症状がある場合に用いられるものであって、眠気を防止する効果を得ることはできなかった。
【０００６】
また、ミントエッセンス、メントール、ヒノキチオールの内、１種若しくは２種以上を含む溶液をマスク内側に噴霧して、その上から口あてガーゼをあてがって、鼻孔を覆うようにすることによって、鼻孔の不快感を解消する方法が提案されている（特許文献２）。
上記特許文献２において、メントールの爽快感により、覚醒作用が得られる旨が記載されているが、上記の通りメントールには直接的な覚醒作用はなく、ヒノキチオールも同様に覚醒作用は有していない。
従って、上記特許文献２に係る方法は、十分な覚醒作用が得られないという不具合を有していた。
【特許文献１】実登３０４７４５１号公報
【特許文献２】特開平７−２９５７４号公報
【考案の開示】
【考案が解決しようとする課題】
【０００７】
本考案は、装着することによって、確実に覚醒作用が得ることが可能なマスクを提供することにある。
【課題を解決するための手段】
【０００８】
上記課題を解決するため、請求項１記載の考案に係るマスクは、口部、及び鼻孔を被覆しうるマスク本体部と、上記マスク本体部の両端部に配設され、上記マスク本体部を顔面上に固定しうる一対の耳掛け部と備えるマスクであって、
上記マスク本体部には、薬理効果として覚醒作用を有する液体薬剤が含浸若しくは塗布された不織布が配設されていることを特徴とする。
【０００９】
従って、マスクを装着することによって、上記液体薬剤が速やかに体内に吸入され、当該薬剤の薬理作用によって、眠気の発生を防止する。
【００１０】
また、請求項２記載の考案に係るマスクは、上記マスク本体部には、上記不織布を着脱自在に収納しうるポケット部が形成されていることを特徴とする。
【００１１】
従って、液体薬剤を含浸させた不織布を上記ポケット部に収納することによって、上記マスク本体部に配設される。
【００１２】
また、請求項３記載の考案に係るマスクは、上記液体薬剤は、モダフィニル、メチルフェニデート塩酸塩、又はペモリンのうち１以上の成分が含有されていること特徴とする。
【００１３】
また、請求項４記載の考案に係るマスクは、上記液体薬剤には、経時的に色彩が変化しうる、効果識別剤が含有されていることを特徴とする。
【００１４】
従って、上記効果識別剤を含有する液体薬剤の色彩を確認することによって、上記液体薬剤の効能の持続可能時間を把握することができる。
【００１５】
また、請求項５記載の考案に係るマスクは、上記マスク本体部において外部から視認できる位置には、経時的に色彩が変化しうる効果識別剤が塗布若しくは埋設されていることを特徴とする。
【００１６】
従って、効果識別剤の色彩を確認することによって、上記液体薬剤の効能の持続可能時間を把握することができる。
【考案の効果】
【００１７】
請求項１及び請求項３の考案にあっては、上記マスク本体部には、薬理効果として覚醒作用を有する液体薬剤が含浸、若しくは塗布された不織布が配設されていることによって、メントール等による外的刺激ではなく、体内に吸入された上記液体薬剤の薬理効果が直接的に且つ迅速に作用する。
従って、装着することによって、確実に覚醒作用が得ることが可能なマスクを提供することができる。
【００１８】
また、請求項２の考案にあっては、上記マスク本体部には、上記不織布を着脱自在に収納しうるポケット部が形成されていることから、液体薬剤を含浸した不織布を簡単交換することができる。
従って、上記液体薬剤の効果がなくなった場合には、速やかに交換が可能である。
【００１９】
また、請求項４の考案にあっては、液体薬剤には、経時的に色彩が変化しうる、効果識別剤が含有されていることから、上記効果識別剤を含有する液体薬剤の色彩を確認することによって、上記液体薬剤の効能の有無を容易に把握することができる。
【００２０】
また、請求項５の考案にあっては、上記マスク本体部において外部から視認できる位置には、経時的に色彩が変化しうる効果識別剤が塗布若しくは埋設により配設されていることから、効果識別剤の色彩を確認することによって、上記液体薬剤の効能の有無を容易に把握することができる。
【図面の簡単な説明】
【００２１】
【図１】本考案の一実施の形態を示し、本実施例に係るマスクの（ａ）は不織布をマスク本体部の外側面部に貼付した状態、（ｂ）はマスク本体部のポケット部に不織布を収納した状態を示す平面図である。
【考案を実施するための最良の形態】
【００２２】
以下、本考案を実施の形態を添付図面を用いて説明する。
図1（ａ）に示すように、本実施の形態に係るマスク１０は、口部、及び鼻孔を被覆しうるマスク本体部１１と、上記マスク本体部１１の両端部に配設され、上記マスク本体部を顔面上に固定しうる一対の耳掛け部１２，１２と備えるマスクであって、上記マスク本体部１１には、薬理効果として覚醒作用を有する液体薬剤１３が含浸若しくは塗布された不織布１４が配設されている。
本実施の形態にあっては、上記「薬理効果として覚醒作用を有する液体薬剤１３」としては、モダフィニル、メチルフェニデート塩酸塩、又はペモリンのうち１以上の成分が含有されている。
また、上記マスク本体部１１には、上記不織布１４を着脱自在に収納しうるポケット部１５が形成され、上記不織布１４は上記ポケット部１５の内部に収納されている。
また、上記液体薬剤１３には、時間の経過と共に色彩が変化する、効果識別剤（図示せず）が含有されている。
【実施例１】
【００２３】
以下、上記形態における実施例の構成について、添付図面を用いて詳述する。
図１（ａ）は、本実施例に係るマスク１０を示す正面図である。
図１に示すように、本実施例に係るマスク１０は、所定の厚さ寸法を有する不織布、若しくは綿ガーゼ等の布材から形成され、平面横長長方形に形成されたマスク本体部１１と、上記マスク本体部１１の長さ方向両端部において、幅方向両端部にそれぞれ一端部と他端部が接続された、所定の長さ寸法に形成された一対の紐状の耳掛け部１２、１２が配設されている。
なお、本実施例においては、液体薬剤１３を含浸させた不織布１４は、上記マスク本体部１１の外側表面部に貼設されている。
また、上記マスク本体部１１の上端部には、長さ方向に沿って、鼻の形状に合わせて変形して当接して、上記マスク本体部１１のずれを防止しうる、アルミ箔で形成された鼻当て部１６が配設されている。
【００２４】
また、図１（ｂ）に示すように、上記不織布１４は、上記マスク本体部１１の外側表面部に配設されたポケット部１５内に収納することによって、配設することもできる。
【００２５】
また、上記効果識別剤の色彩の変化と、上記液体薬剤１３の効能の有無は直接的に関連する必要はない。
即ち、予め液体薬剤１３の効能持続時間を測定しておくことによって、効果継続時間に合わせて、色彩が変化するように、適宜効果識別剤の含有量等を調整することができる。
上記効果識別剤としては、使用する環境下に応じて、例えば、可視光、紫外線が当たることにより色彩が変化する所謂クロミック素材、水分を吸収することにより、色彩が変化する素材（例として、シリカゲルに混入している塩化コバルト等）、若しくは温度によって色彩が変化する素材等を、適宜選択することができる。
上記効果識別剤は、液体薬剤１３に直接含有させた場合、人体内に吸引されても、人体に対する毒性が無い、若しくは極めて低い素材が選択されている。
【００２６】
本実施例の作用について説明する。
図１に示すように、マスク１０を顔面に装着する場合は、マスク本体部１１を口部と鼻孔にあてがって、耳掛け部１２，１２を夫々左右の耳に掛止めする。
呼吸を行うことにより、上記マスク本体部１１の内部に含浸されている液体薬剤１３が揮発して、鼻孔若しくは口部から体内に吸引され、薬効成分が肺から血液中に吸収され、覚醒効果を発揮する。
従って、眠気がひどい場合でも、上記液体薬剤１３の薬効成分が体内で直接的に作用するため、効き目が顕著であり、且つ効果の持続性も高い。
また、一定時間が経過すると、上記効果識別剤の色彩が変化することから、新しいマスクへの取替え時期等を迅速に認知することができる。
【実施例２】
【００２７】
また、上記効果識別剤を、液体薬剤１３に直接含有させず、上記マスク本体部１１において外部から視認できる位置に、塗布若しくは埋設等の手段により配設する場合、上記効果識別剤を上記液体薬剤１３に溶解させる必要が無い。
従って、例えば、上記効果識別剤を固体の状態でマスク本体部に配設することができるため、効果識別剤が人体内に吸引され難く、より安全性を高めることが可能である。
【００２８】
なお、本実施例１、実施例２、及び添付図面に記載されたマスクの全体外観、大きさ寸法、耳掛け部の長さ、マスク本体部の厚み、及び素材等は、あくまで一例であり、本考案の構成の範囲内で適宜変更した場合であっても、本実施例と同様の作用効果を得ることができる。
【００２９】
また、実施例２における効果識別剤の配設方法としては、効果識別剤を塗布したシールを、マスク本体部の外側面部に貼設する形態であっても良い。
なお、液体薬剤は、医薬品、医薬部外品を問わず、吸引が可能であり且つ覚醒作用を有する既存の薬剤であれば広く適用することができる。
また、上記実施例にあっては、「薬理効果として覚醒作用を有する液体薬剤１３」としては、モダフィニル、メチルフェニデート塩酸塩、又はペモリンのうち１以上の成分が含有されている場合を例に説明したが、、モダフィニル、メチルフェニデート塩酸塩、又はペモリンに限定されず、薬理効果として覚醒作用を有する薬剤であって薬事法に適合するものであれば、これらに類似する薬剤であってもよい。
【産業上の利用可能性】
【００３０】
本考案は、マスクであって、特に装着することによって眠気を防止する効果を有するマスクに適用可能である。
【符号の説明】
【００３１】
１０  マスク  
１１  マスク本体
１２  耳掛け部
１３  含浸した液体薬剤
１４  不織布
１５  ポケット部
１６  鼻当て部
【図１】
0003178071.tif 000003